(57)【要約】【課題】  室外機から排気される気流を考慮しつつ、設置スペースの狭隘問題を解消できる設置方法を提供することを目的とする。【解決手段】  背面２に冷却前の空気を吸い込む吸込部を備えると共に、前面３に熱交換済みの空気を排出する吹出部５を備えた室外機本体１Ａが載置部１４を介して上下方向に積層可能に構成されていることを特徴とする。【選択図】    図１
2006078034.tif 000002
【特許請求の範囲】
【請求項１】
背面に冷却前の空気を吸い込む吸込部を備えると共に、前面に熱交換済みの空気を排出する吹出部を備えた室外機本体が載置部を介して上下方向に積層可能に構成されていることを特徴とする室外機。
【請求項２】
前記室外機本体には、前記吹出部が斜め上方に向けて形成されていることを特徴とする請求項１に記載の室外機。
【請求項３】
前記室外機本体内に設けた熱交換器が前記室外機本体の空気の導入方向に対して斜めに配置されていることを特徴とする請求項１又は２に記載の室外機。
【請求項４】
前記熱交換器を略く字状にして備えたことを特徴とする請求項３に記載の室外機。
【請求項５】
背面に吸込部を有し、該吸込部から吸い込んだ空気を吹き出すために前面に吹出部を有する室外機を複数設置する方法であって、前記吹出部の向きを一致させた状態で上下方向に複数積層することを特徴とする室外機の設置方法。
【請求項６】
室外機を複数積層するための載置部を互いに隣接配置して、これら条列を成した載置部に、順次室外機を積層することを特徴とする室外機の設置方法。
【請求項７】
背面を同一側に揃えて前記室外機を上下方向に複数積層して室外機群を構成し、前記室外機群を条列を成すように隣接配置することを特徴とする室外機の設置方法。
【請求項８】
室外機の背面と他の室外機の背面とを向かい合わせにした状態で上下方向に複数積層することを特徴とする室外機の設置方法。
【請求項９】
背面を同一側に揃えて前記室外機を上下方向に複数積層して室外機群を構成し、前記室外機群の背面側と他の室外機群の背面側とを向かい合わせに設置することを特徴とする室外機の設置方法。
【請求項１０】
室外機の前面と他の室外機の前面とを向かい合わせにした状態で上下方向に複数積層することを特徴とする室外機の設置方法。
【請求項１１】
室外機の前面と他の室外機の前面とを向かい合わせにした状態で、対向する室外機の位置関係が上下方向に互い違いになるように複数積層すると共に、上下の室外機の間に遮蔽パネルを設置することを特徴とする室外機の設置方法。
【請求項１２】
背面を同一側に揃えて前記室外機を上下方向に複数積層して室外機群を構成し、前記室外機群と、対向する他の室外機群と前面側を向かい合わせにすると共に、対向する室外機との位置関係が積層方向で互い違いになるように配置し、上下の室外機の間に遮蔽パネルを設置することを特徴とする室外機の設置方法。
【発明の詳細な説明】
【技術分野】
【０００１】
本発明は、室外機及び室外機の設置方法に関するものである。
【背景技術】
【０００２】
近年、ビルなどの屋上に空気調和装置の室外機を集中させる例が多く見られるが、これらは、図１４に示すように平面的に配置されているため、設置台数に制限がある。さらに、通信機器の増加に伴い、空調機１の設置台数は増加の傾向にあるため、室外機１を屋上１５に設置しきれなくなる虞もある。また、排気された空気が吸入部に吸い込まれる現象（ショートサーキット）を回避するべく該室外機１を配置させる必要がある。
【０００３】
そのため、空気調和装置の室外機の配置方法として、例えば特許文献１のようなものが考えられている。これは、ケーシングの背面に吸込部を有し、上面に吹出部を有する室外機を多段に複数配置するにあたり、上下段に配置される室外機は正面同士を対向させて整列させる。上段に配置される室外機は、グレーチングの上に配置される。下段の室外機には、吹出部から吹き出された空気をグレーチングの通気部へと案内する仕切り板が設けられるというものである。
【特許文献１】特開２００３−２９４２６９号公報
【発明の開示】
【発明が解決しようとする課題】
【０００４】
上述した従来技術においては、室外機配置用の構造物を設けることによって上下の段に室外機を配置することができる。また、仕切り板を設けたことによって下段の室外機から排気された空気が他の室外機に吸い込まれることが防止される。しかし、床部を構築するなど大掛かりな構成のため容易に備えることはできず、多積層は困難と成りかねない。
前述したように、一般的に室外機はビルの屋上に並列に配置されているため、ビルの屋上に設置可能な台数には限界がある。さらに、屋上緑化対策などのため室外機の設置場所が益々狭くなってきている昨今、省エネ性や環境対策を考慮しつつも限られたスペースにおいて、より多くの室外機を設置する方法が必要となっている。
【０００５】
本発明は、このような事情を考慮してなされたもので、室外機から排気される気流を考慮しつつ、設置スペースの狭隘問題を解消できる設置方法を提供することを目的とする。
【課題を解決するための手段】
【０００６】
請求項１に記載の発明は、背面に冷却前の空気を吸い込む吸込部を備えると共に、前面に熱交換済みの空気を排出する吹出部を備えた室外機本体が載置部を介して上下方向に積層可能に構成されていることを特徴とする。
このように構成することによって、より多くの室外機を設置することが可能になる。
【０００７】
請求項２に記載の発明は、請求項１に記載の発明において、本発明は、前記室外機本体には、前記吹出部が斜め上方に向けて形成されていることを特徴とする。
このように構成することによって、室外機の背面同士を対向させた場合は、排気が直接近隣へ向かうことが防止される。さらに、前面を対向させた場合は、互いの排気が吸気側へ回り込むことを防止するための遮蔽パネルを備える必要がなくなる。
【０００８】
請求項３に記載の発明は、請求項１又は２に記載の発明において、熱交換器が前記室外機本体の空気の導入方向に対して斜めに備えられることを特徴とする。
このように構成することによって、導入された空気は熱交換器を確実に通過することができる。さらに、熱交換させる流路を十分な長さに形成することができる。
【０００９】
請求項４に記載の発明は、請求項３に記載の発明において、前記熱交換器を略く字状にして備えたことを特徴とする。
このように構成することによって、室外機内での凝縮器が配置されるスペースが同様のまま、熱交換器の熱交換面積を大きくすることが可能となる。また、室外機内での凝縮器が配置されるスペースが縮小された場合には、凝縮器の熱交換面積を維持しつつ、凝縮機を縮小することができるようになる。
【００１０】
請求項５に記載の発明は、背面に吸込部を有し、該吸込部から吸い込んだ空気を吹き出すために前面に吹出部を有する室外機を複数設置する方法であって、前記吹出部の向きを一致させた状態で上下方向に複数積層することを特徴とする。
このように構成することによって、室外機から吹き出される空気の排気方向が同一側になるので、吹き出された空気が吸込部へと回り込むことを防ぎつつ、より多くの室外機を設置することができる。
【００１１】
請求項６に記載の発明は、室外機を複数積層するための載置部を互いに隣接配置して、これら条列を成した載置部に、順次室外機を積層することを特徴とする。
このように構成することによって、載置部を予め隣接させて備えておくことができる。そして、室外機を載置部に積層させる順番に関わらず、室外機を下段から順次積層していくことができる。
【００１２】
請求項７に記載の発明は、背面を同一側に備えて前記室外機を上下方向に複数積層して室外機群を構成し、前記室外機群を条列を成すように隣接配置することを特徴とする。
このように構成することによって、作業のし易い広い場所等で、室外機群を予め構成しておくことができる。また、構成した室外機群を隣接して設置させるだけになり、現地での設置作業が容易になる。
【００１３】
請求項８に記載の発明は、室外機の背面と他の室外機の背面とを向かい合わせにした状態で上下方向に複数積層することを特徴とする。
この構成においては、請求項９に記載の発明のように、背面を同一側に備えて前記室外機を上下方向に複数積層して室外機群を構成し、前記室外機群の背面側と他の室外機群の背面側とを向かい合わせに設置してもよい。
このように構成することによって、対向する室外機の排気方向が互いに逆になる。さらに、背面側に共用のメンテナンススペースを確保することができる。
【００１４】
請求項１０に記載の発明は、室外機の前面と他の室外機の前面とを向かい合わせにした状態で上下方向に複数積層することを特徴とする。
このように構成することによって、室外機の排気側を集約することで吸い込み側に与える吹き出し側からの悪影響を最小限に抑えることができる。
【００１５】
請求項１１に記載の発明は、室外機の前面と他の室外機の前面とを向かい合わせにした状態で、対向する室外機の位置関係が上下方向に互い違いになるように複数積層すると共に、上下の室外機の間に遮蔽パネルを設置することを特徴とする。
この構成においては、請求項１２に記載の発明のように、背面を同一側に揃えて前記室外機を上下方向に複数積載して室外機群を構成し、前記室外機群と、対向する他の室外機群との前面側を向かい合わせにすると共に、対向する室外機の位置関係が積載方向で互い違いになるように配置し、上下の室外機の間に遮蔽パネルを設置してもよい。
このように構成することによって、向かい合う室外機の積載方向の位置が交互になるので排気方向がぶつかることはない。また、遮蔽パネルを設けることにより吸気部を有する背面への回り込みを防止することができる。
【発明の効果】
【００１６】
請求項１に記載の発明によれば、より多くの室外機を設置することが可能になるので、限られた配置スペースの狭隘問題を解消させることが可能となる。
【００１７】
請求項２に記載の発明によれば、排気が直接近隣へ向かうことが防止されるので、近隣への騒音を軽減させることが可能となる。さらに、前面を対向させた場合は、互いの排気が吸気側へ回り込むことを防止するための遮蔽パネル等を備える必要がなくなるので、室外機を高密度に積層することができる。
【００１８】
請求項３に記載の発明によれば、導入された空気は熱交換器を確実に通過することができ、さらに、熱交換させる流路を十分な長さに形成することができるので、十分な熱交換効率を得ることができる。
【００１９】
請求項４に記載の発明によれば、室外機内での凝縮器が配置されるスペースが同様のまま、熱交換器の熱交換面積を大きくすることが可能となるので、熱交換効率をより向上させることができる。また、室外機内での凝縮器が配置されるスペースが縮小された場合には、凝縮器の熱交換面積を維持しつつ、凝縮機を縮小することができるようになるので、室外機の小型化が可能となる。
【００２０】
請求項５に記載の発明によれば、より多くの室外機を設置させることができるので、限られた配置スペースの狭隘問題を解消させることが可能となる。また、吹き出された空気が吸込部へと回り込むことを防ぐことができるので、室外機の熱交換能力を低下させることなく所期の冷房効果が得られる。
【００２１】
請求項６に記載の発明によれば、載置部の設置位置を予め定めることができるので、設置スペースを確保することができる。そして、室外機を載置部に積層させる順番に関わらず、配置された載置部の下段から、順次積層していくことができるので、室外機の設置及び増設を容易に行うことができる。
【００２２】
請求項７に記載の発明によれば、作業のし易い広い場所等で、室外機群を予め構成しておくことができるので、作業効率の向上を図ることもできる。さらに、設置する室外機の数を把握できていて、室外機群を構成することのできる室外機の数が十分ある場合に、特に有効となる。また、構成した室外機群を隣接して設置させるだけになり、現地での設置作業が容易になるので、作業時間を短縮することができる。
【００２３】
請求項８及び９に記載の発明によれば、対向する室外機の排気方向が逆になるので、気流の干渉を防ぐことが可能となり、室外機の熱交換能力を低下させることなく所期の冷房効果を得ることができる。
さらに、排気側に共用のメンテナンススペースを確保することが可能となるので、一度に両側の室外機をメンテナンスすることができて作業しやすい。また、メンテナンススペースを共用とすることができるので、メンテナンススペースを必要最低限に抑えることも可能となる。
【００２４】
請求項１０に記載の発明によれば、吹き出し側を集約することで吸い込み側に与える吹き出し側からの悪影響を最小限に抑えることができるので、熱交換効率の低下を防止することができる。
請求項１１及び１２に記載の発明によれば、向かい合う室外機の排気方向がぶつかることはないので、排気の逆流を防ぐことができる。さらに、室外機の前面同士が対向して設置されるので、近隣への騒音を低減させることが可能となる。また、排気の逆流及び吸気側への回り込みを防ぐことができるので、熱交換を効率良く行うことができる。
【発明を実施するための最良の形態】
【００２５】
以下、本発明の実施の形態を説明する。
まず、第１の実施の形態について、図１から図８に基づいて説明する。
図２に示すように、ビルの屋上１５には、複数の室外機１を４本の支柱８から成る載置部１４を介して上下方向に積載した室外機群６が、隣接して配置されている。この隣接配置された室外機群６は室外機列Ｍを構成し、同様の構成の室外機列Ｎと共に互いの背面２側を対向させ、且つ室外機列Ｍと室外機列Ｎとの間に距離をおき、ここをメンテナンススペース１６にして配置してある。
【００２６】
図１は、図２の部分拡大図であり、室外機列Ｍの一つの室外機群６と、この室外機列Ｍに対向配置された室外機列Ｎの一つの室外機群６’とを示している。
図１に示すように、前記室外機１、１’は、直方体形状の室外機本体１Ａ、１Ａ’と、背面２、２’全体に設けた（一部に設けてもよい）冷却前の空気を吸い込む吸込部と、前面３、３’に設けた吹出部５、５’とから構成されている。前記吹出部５、５’には、それぞれ２つの円筒形状のファン１０が並列に設けられ、室外機本体１Ａ、１Ａ’の内部には熱交換器である凝縮器９、９’が、前面３、３’の上部から背面２、２’の下部へと下降するように斜傾して配置されている。この室外機１、１’を載置するための載置部１４は、例えば室外機１、１’の側面１ｂ、１ｂ’に平行に立設された４本の支柱８を備えてなり、前記室外機１、１’の前面３、３’側と背面２、２’側に２本ずつ対向させて設けられている。この載置部１４は、例えばビルの屋上１５にスタッドボルト等により固定されている。
【００２７】
そして、室外機１、１’は、その上面１ａ、１ａ’を上にして吸込部と吹出部５、５’とが水平となるような状態で、前記載置部１４の垂直方向に一定の間隔を隔てて複数積載されている。このとき、各室外機１、１’の背面２、２’は同一側に設定される。このようにして構成された室外機群６は、その背面２側と他の室外機群６’の背面２’側とを向かい合わせにして、その間に室外機一台分以上の間隔（メンテナンススペース１６）をおいて配置されている。そして前述したように、図２に示すように、これら室外機群６、６’が複数隣接され室外機列Ｍ、室外機列Ｎとして、整列された状態で設置されている。
【００２８】
このように構成することにより、背面２、２’の吸気部から吸い込まれた空気は、内蔵されている凝縮器９によって高温とされ、前面３、３’の吹出部５、５’から水平に大気中へ吹き出されるが、室外機群６と対向する室外機群６’との排気方向は互いに逆なため、対向する室外機１と室外機１’とから吹き出された空気がぶつかることを防止することができる。
また、対向する室外機群６、６’の背面２、２’側に間隔を設けることによって、メンテナンススペース１６を形成することができる。その結果、図２に示すように、屋上１５に設置された状態では、室外機列Ｍの室外機群６から吹き出された空気と、対向する室外機列Ｎの室外機群６’から吹き出された空気とのぶつかりを阻止することができる。そして、室外機列Ｍ、Ｎとの間に共用のメンテナンススペース１６を形成することができる。
【００２９】
したがって、より多くの室外機１、１’を高密度に集合設置させることができ、屋上１５の限られたスペースを有効に活用することができる。また、対向する室外機群６、６’の背面２、２’側にメンテナンススペース１６を確保できるので、作業員の出入りが可能となりメンテナンス作業を行うことができる。さらに、メンテナンススペース１６を対向する室外機群６、６’と共用とすることで、室外機群６、６’毎にメンテナンススペース１６を確保する場合と比べて、より多くの室外機群６、６’を備えることができる。また、吸込部に排気が回り込むことがないため、冷却能力の低下を防止することができる。
尚、上述した実施形態では、前記載置部１４をビルの屋上１５に設置するようにしたが、地面等に設置してもよい。
【００３０】
ここで、図３に示すように、室外機群６を構成する際には、予め設けられた支柱８に順次室外機１を設置していってもよい。このとき、前記室外機１は下段から垂直方向上方に順次積載されることになる。例えば、室外機１の両側面１ｂと支柱８の内側にレールのようなものを設けるか、或いは載置部１４に受け板のようなものを設けて棚状に構成しておくことによって、後から室外機１を差し込んで載置させることが可能となる。
このように構成することによって、前もって室外機１の設置台数が決まっていないときや後から増設したい場合にも、適宜載置することができる。また、順次積載していくので既設の室外機１の配管やケーブルを動かす必要がない。さらに、室外機１は個別に載置部１４へ設置されるので、上方に複数の室外機１が積載されている下方の室外機１であっても随時抜き差しが可能となる。
したがって、室外機１を適宜載置可能となるので室外機群６を構成する台数に至っていなくても、載置部１４に積載することができる。また、既設の室外機１の配管やケーブルを動かす必要がないので、載置作業を容易に行うことができる。さらに、室外機１の載置部１４への挿脱が個別に可能になるため、故障等による室外機１の取り外しを容易に行うことができる。
【００３１】
また、図４に示すように、室外機本体１Ａの両側面１ｂにおいて、継足し用支持部材１３を前面３及び背面２側にそれぞれ平行に備えて室外機ユニット１１として構成してもよい。前記支持部材１３は、その上端部の内側が室外機１の側面１ｂに固定され、下端部は室外機１の下面から突出させて設けられている。例えば、前記支持部材１３の上端に凹部を形成し、下端には凸部を形成しておくことによって、室外機ユニット１１を積載することが可能となる。
【００３２】
まず、最下段に設置される室外機ユニット１１は、支持部材１３の下端が例えばビルの屋上１５に設置される。そして、上端に形成されている凹部に、増設する室外機ユニット１１の支持部材１３に形成されている凸部を嵌合させることによって位置決めされる。
このように構成することによって、室外機ユニット１１を増設するときには、既設室外機ユニット１１の上方に次々と積載していくだけで済む。
したがって、寸法の決まった支柱８に沿って積み上げる構成ではないため、強度や安定性等の条件を満たす限り、可能な限り積載することができる。また、既設の室外機ユニット１１の配管やケーブルを動かすことなく積載することができるので設置作業が容易となる。
【００３３】
或いは図５に示すように、室外機１を載置部１４の下段から差し込むように構成してもよい。この場合には、例えば、載置部１４にリフトアップ機構を備え、ジャッキ等によって室外機１を順次昇降させるようにしてもよい。
このように構成することによって、室外機１を持ち上げることなく、載置部１４の最上段まで容易に積載することができる。また、高所での作業をなくすことができるので、安全且つ能率的に作業を行うことができる。
【００３４】
また、図６に示すように、前記室外機ユニット１１を下から差し込むようにしてもよい。
このように構成することによって、上述した実施形態の支柱８は予め長さが決まっていたため、支持部材１３は継ぎ足していくことにより載置部１４’を構成することができ、上述した条件を満たす限界まで室外機ユニット１１を積載させることが可能となる。
したがって、より多くの室外機１を設置することができる。さらに、下から作業を行うことができるので、作業者の労力の軽減を図ることが可能となる。
【００３５】
また、図７に示すように、室外機１の側面１ｂを上にして載置部１７に積載し、室外機群１９を構成してもよい。前記載置部１７は、前記室外機１の側面１ｂの幅寸法に合わせて構成されている。
このように構成することにより、載置部１７の幅方向のスペースを節約することができるので、列方向に多くの室外機群１９を整列させることができる。また、室外機１の設置スペースが狭い場合に有効となる。
【００３６】
また、図８に示すように、室外機３０は、上述した実施形態の室外機１に比べて側面３０ｂ（奥行き寸法）を短くし、正面視略正方形に形成してもよい。詳しくは、前面３３及び背面３２が略正方形に形成され、前面３３に設けられた吹出部３５には、縦横並行に４つのファン１０が付設されている。また、載置部１８は前記室外機３０の側面３０ｂの奥行き寸法に合わせて設置され、室外機群３６が構成されている。
このように構成されることによって、載置部１８の奥行き方向のスペースを節約することができる。したがって、奥行きのない狭い設置スペースにおいても室外機群３６を対向させて設置することができ、狭隘問題を解消することができる。また、上述した実施形態の室外機１よりも前面３３及び背面３２の面積が広く形成されるので、より多くの空気を吸排気させることができ、放熱効率を向上させることができる。
【００３７】
次に、第２の実施の形態について図９、１０に基づいて説明する。
以下、上述した第１の実施形態と同一構成要素には同一符号を付してその説明を省略し、相違点を中心に説明する。
第２の実施の形態では、室外機１、１’は、室外機群７、７’の前面３、３’側を対向させて設置するものである。このとき、対向する室外機群７、７’に載置される各々の室外機１、１’は、互いの位置関係が積載方向で千鳥（互い違い）になるようにそれぞれ配置される。そして、上下の室外機１、１’の間にはブランクパネル１２（遮蔽パネル）を設置する。前記ブランクパネル１２は、例えば矩形板状に形成されており、室外機１、１’を支持している支柱８のうち、室外機１、１’の前面３、３’側に位置する支柱８間に設けられる。載置台数が奇数の室外機群７には、下段の室外機１と屋上１５との隙間にもブランクパネル１２が設けられ、さらに、最上段の室外機１の上方には、室外機１の積載方向に２枚のブランクパネル１２が設けられている。
【００３８】
尚、ブランクパネル１２の枚数は上記に限ったものではなく、対向する室外機１、１’から吹き出される空気を遮蔽できるように設けてあればよい。また、対向して設置される室外機群７、７’との間の間隔は、ファン１０によって排出される空気の風量及び速度によって決定され、尚且つ配置スペースの縮小を配慮したものとなっている。
図１０に示すように、これら室外機群７、７’を複数隣接させ室外機列Ｐ、室外機列Ｑとして、整列させた状態で設置されている。
【００３９】
このように構成することにより、背面２、２’を対向させて設置しても互いの排気方向がずれるため、吹き出された空気がぶつかることを防ぐことができる。そのため、ファン能力の低下を防止することができる。また、前記ブランクパネル１２によって上下の室外機１、１’の間の隙間が塞がれることになり、対向する室外機１、１’から吹き出された空気が前記隙間から背面２、２’の吸気側へと回り込むことを防ぐことができる。
したがって、排気が吸気部へ回り込むことを防ぐことができるので効果的に放熱することができる。さらに、室外機群７、７’の背面２、２’側を内側にして備えることにより、近隣への騒音を低減させることができる。
【００４０】
次に、本発明における室外機の他の態様について説明する。例えば、図１、図９に示した室外機１、１’においては、吹出部５、５’を備える前面３、３’が背面２、２’と平行に設けられていたが、図１１に示すように、室外機２０の吹出部２５を斜め上方に向け構成してもよい。具体的には、室外機２０の上面２０ａと下面２０ｃの長手方向の寸法が異なっており、上面２０ａより下面２０ｃのほうが長く形成されている。そして、上下面の長手方向の一端を揃えて他端側にできる端部の差異を繋ぐようにして前面２３を備えることにより、吹出部２５が斜め上方に向けて構成されることとなる。
尚、この構成は、図７、図８に示す形状での室外機１、３０にも適用できる。
【００４１】
このように構成することによって、吸込部から吸い込まれた空気は、常に吹出部２５から斜め上方に向かって吹き出されるので、室外機２０の背面２２を対向させて設置した場合には、排気が直接近隣へ向かうことを防止することができる。そのため、近隣への騒音を軽減させることが可能となる。また、前面２３を対向させて設置した場合には、排気された空気が対向する室外機２０の上下間の隙間に流入し難くなるので、上述した実施形態のようにブランクパネル１２を備える必要がなくなる。よって、高密度に室外機２０を積層することができ、尚且つ設備費の削減にも繋がる。さらに、対向して設置される室外機２０の排気が互いに干渉してしまうことを阻止することができるので、ファン能力の低下を防止することができる。
したがって、設置の際に、対向する室外機２０の吹出部２５の位置関係を考慮しなくて済むので、作業時間を短縮することができる。
【００４２】
尚、上述した実施の形態においては、室外機群６を形成した後、室外機群６毎に任意の場所へ平面的に配置させているが、例えば、室外機群６を形成したい場所に支柱８を予め配置させておき、まず、それぞれの支柱８の下段に室外機１を平面的に配置し、二段目以降も同様にして室外機１を随時載置していくこととしてもよい。
また、前記室外機群６を他の室外機群６’と対向するように設置させているが、必ずしもこれに限られたことではなく、前記室外機群６を単体で設置してもよい。さらに、ファン１０の数は上記に限ったものではなく、室外機１内の空気を効果的に排出できるように適宜設置してあればよい。
【００４３】
またさらに、室外機１の内部に設置される凝縮器９をく字状にして設置してもよい。つまり、図１２に示すように、凝縮器３９が室外機１の前面３の上部から背面２の中央部分へと下降し、この中央部分で折曲してさらに前面３の下部へと下降するように斜傾させれば、上記実施形態１の凝縮器９よりも熱交換面積を倍にすることができる。或いは、図１３に示すように、上述した実施形態での凝縮器９の熱交換面積を変えることなく、前記凝縮器９の略中央部分から折曲させて凝縮器４９のように形成してもよい。こうすることで凝縮器９の奥行き寸法が、略半分に縮小されるので、室外機１全体を小型に構成することも可能となる。さらに、上記第１実施形態と同等の熱交換効率を維持することができる。
尚、これら凝縮器３９、４９の折曲部分が前面３側にくるように配置してもよい。また、上記した凝縮器３９、４９のように折曲させるのではなく、凝縮器を複数組み合わせて構成してもよい。
さらに、本発明は、上記実施形態に限定されることなく、本発明の要旨を逸脱しない限り種々の変更が可能である。
【図面の簡単な説明】
【００４４】
【図１】本発明における第１実施形態に係る室外機群を示す斜傾図である。
【図２】本発明における第１実施形態に係る室外機群の設置例を示す全体斜傾図である。
【図３】本発明における第１実施形態に係る室外機の設置方法の変形例を示す斜傾図である。
【図４】本発明における第１実施形態に係る室外機の設置方法の変形例を示す斜傾図である。
【図５】本発明における第１実施形態に係る室外機の設置方法の変形例を示す斜傾図である。
【図６】本発明における第１実施形態に係る室外機の設置方法の変形例を示す斜傾図である。
【図７】本発明における第１実施形態に係る室外機の設置方法の変形例を示す斜傾図である。
【図８】本発明における第１実施形態に係る室外機の設置方法の変形例を示す斜傾図である。
【図９】本発明における第２実施形態に係る室外機群を示す斜傾図である。
【図１０】本発明における第２実施形態に係る室外機群の設置例を示す全体斜傾図である。
【図１１】本発明における第２実施形態に係る室外機の設置方法の変形例を示す斜傾図である。
【図１２】本発明における熱交換器の他の態様を示す斜傾図である。
【図１３】本発明における熱交換器の他の態様を示す斜傾図である。
【図１４】従来の室外機群の設置例について示した斜傾図である。
【符号の説明】
【００４５】
１、１’、２０、３０    室外機
１Ａ、１Ａ’  室外機本体
２、２’、２２、３２    背面
３、３’、２３、３３    前面
５、５’、２５、３５    吹出部
６、６’、７、７’、３６    室外機群
１２    ブランクパネル（遮蔽パネル）
１４、１４’、１７、１８    載置部
９、９’、３９、４９    凝縮器（熱交換器）
【図１】
2006078034.tif 000003
【図２】
2006078034.tif 000004
【図３】
2006078034.tif 000005
【図４】
2006078034.tif 000006
【図５】
2006078034.tif 000007
【図６】
2006078034.tif 000008
【図７】
2006078034.tif 000009
【図８】
2006078034.tif 000010
【図９】
2006078034.tif 000011
【図１０】
2006078034.tif 000012
【図１１】
2006078034.tif 000013
【図１２】
2006078034.tif 000014
【図１３】
2006078034.tif 000015
【図１４】
2006078034.tif 000016